(57)【要約】【課題】  本発明は、背上げのタイミングを膝上げより幾分遅らせるようにした起倒手段を軽量コンパクトにまとめてベッドの中央下に集中させたベッドの起倒装置を新規に提供するものである。【解決手段】  本発明は、背上げフレームと膝上げフレームを連動して起倒するようにした介護ベッドにおいて、シリンダーと該シリンダーのロッドの伸縮にて摺動する摺動アームと該摺動アームの摺動に連動して該背上げフレームと膝上げフレームを起倒する機構を介護ベッドの中央部下に集中して形成し、タイミング調整孔の両端間を嵌合突子が移動することで、背上げフレームの起倒を遅らせるようにしたことを特徴とする介護ベッド装置にある。【選択図】  図１
2007175307.tif 000002
【特許請求の範囲】
【請求項１】
背上げフレームと膝上げフレームを連動して起倒するようにしたベッドにおいて、シリンダーと該シリンダーのロッドの伸縮にて摺動する摺動アームと該摺動アームの摺動に連動して該背上げフレームと膝上げフレームを起倒する機構を該ベッドの中央部下に集中して形成したことを特徴とするベッドの起倒装置。
【請求項２】
膝上げフレームは摺動アームの摺動により往復半回動するカムにてロールを上下させて直接起倒させ、背上げフレームは下面の中央に向けた斜板にタイミング調整孔を設けてシリンダーロッド，摺動アームにつながるＶ形杆の突子をタイミング調整孔の一端に嵌挿して該突子の該タイミング調整孔の両端間を移動することにより起倒するようにして、背上げフレームの起倒のタイミングを膝上げフレームの起倒より幾分遅らせるようにした請求項１に記載のベッドの起倒装置。
【発明の詳細な説明】
【技術分野】
【０００１】
本発明は、ベッドの起倒装置、詳しくはベッドの区分された背上げフレームと膝上げフレームを起倒させる手段をベッドごと側方に出入れしやすいように中央下の部分に集中させ、且つ背上げフレームの上動の開始を膝上げフレームの上動より幾分遅らせるようにしたベッドの起倒装置に関するものである。
【背景技術】
【０００２】
この種のベッド装置としては特開２００５−１１８０３７号の公報がある。該公報は、背上げ機構と膝上げ機構をベッド下に分散形成して、且つ両者を同期して動作させ、また膝上げ機構を１回転するカムにて起立させた後に再度伏臥させるレバーを記載している。
【特許文献１】特開２００５−１１８０３７号公報
【発明の開示】
【発明が解決しようとする課題】
【０００３】
しかしながら、該公報は上下動機構をベッド下に長く分散して形成しているために、人をベッドごと側方に引き出したり入れたりすることができないという課題がある。また背上げと膝上げ機構が同期して上動を開始するために、ベッド上の人は窮屈感を伴って不快となり、また人とマット等が足先側にずれて不快になるという課題がある。
【課題を解決するための手段】
【０００４】
本発明は、すべての起倒手段をベッドの中央下に集中させたことで人をベッドごと側方に出し入れすることができるようにし、また背上げフレームを膝上げフレームの起動開始から少し遅れて起動を始めるようにして、かかる課題を解消するようにしたのである。
【発明の効果】
【０００５】
本発明は、シリンダーをはじめすべての起倒手段をベッドの中央下に集中して設けたので、人をベッドごと側方に容易に出入れすることができるという効果を生ずる。また背上げフレームを膝上げフレームよりタイミングを遅らせて上下動させることができるという効果を生ずる。
【０００６】
背上げフレームの上動を膝上げフレームの上動より幾分遅れて開始するようにしたので、ベッド上の人の足裏が上動した膝上げフレームに当て止まるためにずれ下がらずして窮屈感がなく、楽な姿勢で背上げされることとなり、背上げに伴う人，マットのずれ動きを防止して不快を解消するという効果を生ずる。。
【発明を実施するための最良の形態】
【０００７】
本発明は、背上げフレームと膝上げフレームを連動して起倒するようにしたベッドおよび介護ベッドにおいて、シリンダーと該シリンダーのロッドの伸縮にて摺動する摺動アームと該摺動アームの摺動に連動して該背上げフレームと膝上げフレームを起倒する機構を該ベッドの中央部下に集中して形成し、該膝上げフレームは摺動アームの摺動により往復半回動するカムにてロールを上下させて直接起倒させ、背上げフレームは下面の中央に向けた斜板にタイミング調整孔を設けてシリンダーロッド，摺動アームにつながるＶ形杆の突子を嵌挿して該突子の該タイミング調整孔の両端間を移動することで起倒するようにして、背上げフレームの起倒のタイミングを膝上げフレームの起倒より幾分遅らせるように構成するのである。
【実施例１】
【０００８】
図１はベッド１の全体の側面図で、ベッド１の台座２上に設ける背上げフレーム３、尻固定フレーム４、膝上げフレーム５および足固定フレーム６を各間に間隙７を置いて分割形成する。背上げフレーム３と膝上げフレーム５はそれぞれ尻固定フレーム４側に支点３ａ，５ａを設けて中央台座２ａに枢着して他側を回動自在にしている。背上げフレーム３は下面より中央に向けて斜板８を取付け、９はその下端に設けたタイミング調整孔である。１０はシリンダーロッド、１１は摺動アーム、１２はカム、１３は下面取付けロール、１４は連結用のＶ形杆で一端はシリンダーロッド１０の先端、中間は摺動アーム１１の一端にそれぞれ枢着し、Ｖ形杆１４の他端の突子１４ａはタイミング調整孔９の一側に嵌合している。１５は背上げフレーム３の起倒を安定させるためのガイドである。
【０００９】
以上によりシリンダーロッド１０を伸張させると、カム１２が支点１２ａを中心に半回動して下面取付けロール１３を押して膝上げフレーム５を支点５ａをもとに上動させ、またＶ形杆１４が伸張して開いて突子１４ａがタイミング調整孔９の他側に移動すると、はじめて背上げフレーム３は起動を開始することとなる。すなわち、図２の平坦な状態からシリンダーロッド１０を伸張させると、図３に示すようにカム１２の回動にて下面取付けロール１３を押して膝上げフレーム５を１０度程上動する。この間Ｖ形杆１４の突子１４ａはタイミング調整孔９の他側に移動しているために背上げフレーム３は起動しない。続くシリンダーロッド１０の伸張にて図４に示すように突子１４ａがタイミング調整孔９の他端に当接すると斜板８を押して背上げフレーム３の起動が開始する。この時膝上げフレーム５はカム１２の回転によって２５度程まで上動している。図５に示すように背上げフレーム３が８０度程まで起立する間に膝上げフレーム５はカム１２の回転にて下動して元の平坦形に戻るのである。シリンダーロッド１０を縮小させると上記の逆順にて背上げフレーム３と膝上げフレーム５は元の平坦形に戻ることとなる。
【００１０】
このようにして背上げフレーム３の上動を膝上げフレーム５より幾分遅らせることで、ベッド１上の人は背上げ時に足裏が膝上げフレーム５に当て止まるために窮屈感がなく、楽な姿勢で背上げされることとなる。背上げの終了時点で膝上げフレーム５は平坦形に戻っているので、足は自由に伸ばしてリラックスした座り姿勢となる。また背上げフレーム３，膝上げフレーム５とその起倒手段のすべてを中央台座２ａに取付けて集中させたので、人をベッドごと側方に引き出したり入れたりすることができることとなる。１つのシリンダーにて膝上げと背上げを駆動するようにしたので、構造が簡単で故障がなく且つ軽量コンパクトにすることができる。なおタイミング調整孔９の長さ、カムの周面形状を調整することにより遅らせるタイミング，膝上げの角度を自在に調整することができる。
【産業上の利用可能性】
【００１１】
本発明は、軽量でコンパクトな構造にして製造コストも安価となり、一般のベッドから自宅療養用，病院等の施設用の介護ベッドとして広く利用することができるものである。
【図面の簡単な説明】
【００１２】
【図１】本発明の介護ベッドの実施例を示す全体の側面図
【図２】同、要部の拡大図
【図３】同、膝上げフレームが起動を開始した状態を示す拡大図
【図４】同、背上げフレームが起動を開始し、膝上げフレームが最大角度に達した状態を示す拡大図
【図５】同、背上げフレームの起立が終了し、膝上げフレームが平坦形に戻った状態を示す拡大図
【符号の説明】
【００１３】
１はベッド
２は台座
２ａは中央台座
３は背上げフレーム
３ａは支点
４は尻固定フレーム
５は膝上げフレーム
５ａは支点
６は足固定フレーム
７は間隙
８は斜板
９はタイミング調整孔
１０はシリンダーロッド
１１は摺動アーム
１２はカム
１２ａは支点
１３は下面取付けロール
１４は連結用のＶ形杆
１４ａは突子
１５はガイド
【図１】
2007175307.tif 000003
【図２】
2007175307.tif 000004
【図３】
2007175307.tif 000005
【図４】
2007175307.tif 000006
【図５】
2007175307.tif 000007